(57)【要約】【課題】飲料缶の内容物を注ぎ出したときの泡をよりキメ細かくする。【解決手段】基材と、基材に形成され、基材の破断を促すスコア線と、基材のうちのスコア線により囲まれた領域内を押圧するタブと、を備え、スコア線の一部であって、タブの長手方向に沿った中心線上から外れた箇所に位置する一部が、基材の外周縁側に向かって膨らんでいる缶蓋。【選択図】図１
2019206016.tif 000002
【特許請求の範囲】
【請求項１】
基材と、
前記基材に形成され、当該基材の破断を促すスコア線と、
前記基材のうちの前記スコア線により囲まれた領域内を押圧するタブと、
を備え、
前記スコア線の一部であって、前記タブの長手方向に沿った中心線上から外れた箇所に位置する当該一部が、前記基材の外周縁側に向かって膨らんでいる缶蓋。
【請求項２】
前記スコア線には、前記基材の外周縁側から当該基材の中心部側に向かう部分があり、
前記スコア線のうちの、前記外周縁側から前記中心部側に向かう前記部分に、当該外周縁側に向かって膨らむ前記一部が設けられている請求項１に記載の缶蓋。
【請求項３】
前記スコア線の前記一部は、前記タブの前記中心線から離れる方向に向かって膨らんでいる請求項２に記載の缶蓋。
【請求項４】
前記タブの前記中心線と前記スコア線とは、前記基材の中心部側に位置する中心部側交差箇所にて交差するとともに、当該中心部側交差箇所よりも前記外周縁に近い外周縁側交差箇所にて交差し、
前記中心部側交差箇所と前記外周縁側交差箇所とを結ぶ直線に対して直交し且つ当該直線の中点を通る直交直線を想定した場合に、
前記外周縁側に向かって膨らむ前記一部の頂部が、前記直交直線上に位置し、又は、当該直交直線よりも前記中心部側交差箇所のある側に位置する請求項１に記載の缶蓋。
【請求項５】
前記スコア線は、当該スコア線に沿って前記基材の破断が進行していく際の進行方向における下流側に下流側端部を有し、
前記スコア線の前記一部は、前記タブの前記中心線を挟んで相対する一方の領域および他方の領域のうちの、前記下流側端部が位置する領域と同じ領域に設けられている請求項１に記載の缶蓋。
【請求項６】
前記スコア線の前記一部は、前記タブの前記中心線を挟んで相対する一方の領域および他方の領域のうちの、当該一方の領域に設けられ、
前記タブの前記中心線に対して直交し且つ前記スコア線の前記一部の頂部を通る直交直線を想定した場合に、
前記直交直線は、線上交差箇所にて、前記中心線と交差し、他方側交差箇所にて、前記スコア線のうちの前記他方の領域に位置する部分と交差し、
前記直交直線のうちの前記線上交差箇所と前記他方側交差箇所との間に位置する部分の長さの方が、当該直交直線のうちの当該線上交差箇所と前記頂部との間に位置する部分の長さよりも小さい請求項１に記載の缶蓋。
【請求項７】
前記スコア線の前記一部は、前記タブの前記中心線を挟んで相対する一方の領域Ａおよび他方の領域Ｂのうちの、当該一方の領域に設けられ、
操作者による操作が開始された前記タブの先端部が前記一方の領域Ａへ移動するように当該タブを変位させる変位手段を更に備える請求項１に記載の缶蓋。
【請求項８】
前記基材には、凹部が形成されるとともに、当該凹部を取り囲む段差が形成され、
前記基材のうちの前記段差により囲まれた領域内に、前記スコア線が形成され、
前記スコア線の前記一部は、前記タブの前記中心線を挟んで相対する一方の領域および他方の領域のうちの、当該一方の領域に設けられ、
前記タブの前記中心線に対して直交し且つ前記スコア線の前記一部の頂部を通る直交直線を想定した場合に、
前記直交直線は、線上交差箇所にて、前記中心線と交差し、一方側交差箇所にて、前記段差のうちの前記一方の領域に位置する部分と交差し、他方側交差箇所にて、当該段差のうちの前記他方の領域に位置する部分と交差し、
前記直交直線のうちの前記線上交差箇所と前記一方側交差箇所との間に位置する部分の長さの方が、当該直交直線のうちの当該線上交差箇所と前記他方側交差箇所との間に位置する部分の長さよりも大きい請求項１に記載の缶蓋。
【請求項９】
前記スコア線に沿った前記基材の破断が生じると、当該基材には開口が形成され、
前記基材には、前記開口から注ぎ出される液体の注ぎ出し方向を示すための表示がなされている請求項１に記載の缶蓋。
【請求項１０】
前記基材には、凹部が形成されるとともに、当該凹部を取り囲む段差が形成され、
前記基材のうちの前記段差により囲まれた領域内に、前記スコア線が形成され、
前記注ぎ出し方向を示すための前記表示が、前記スコア線の前記一部と前記段差との間に位置する請求項９に記載の缶蓋。
【請求項１１】
前記スコア線の前記一部は、前記タブの前記中心線を挟んで相対する一方の領域および他方の領域の両者に設けられている請求項１に記載の缶蓋。
【請求項１２】
基材と、
前記基材に形成され、一端部、他端部、および、頂部を有するＵ字状部分を備えたスコア線と、
を備え、
前記スコア線のうち、前記Ｕ字状部分の前記頂部と前記一端部との間に位置する一部、及び／又は、当該頂部と前記他端部との間に位置する一部が、前記基材の外周縁側に向かって突出している缶蓋。
【請求項１３】
飲料缶に用いられる缶蓋であって、
基材と、
前記基材に開口が形成される際に操作者により操作されるタブと、
を備え、
前記タブの長手方向に沿った回転軸を中心に前記飲料缶を回転させる操作を操作者に促すための情報および／または形状が付された缶蓋。
【請求項１４】
前記促すための情報として、前記タブの長手方向と交差する方向を向く矢印が前記缶蓋に付されている請求項１３に記載の缶蓋。
【請求項１５】
前記缶蓋には、前記基材の破断を促すスコア線が形成され、
前記促すための形状として、前記スコア線の一部を前記基材の外周縁側に向かって突出させる形状が付されている請求項１３に記載の缶蓋。
【請求項１６】
内容物が収容された缶本体と、当該缶本体の開口を塞ぐ缶蓋、とを備え、当該缶蓋が請求項１乃至１５の何れかに記載の缶蓋により構成された飲料缶。
【請求項１７】
内容物が収容された缶本体と、
開口が形成される際に操作者により操作されるタブと、
を備えた飲料缶であり、
前記タブの長手方向に沿った回転軸を中心に前記飲料缶を回転させる操作を操作者に促すための情報および／または形状が付された飲料缶。
【発明の詳細な説明】
【技術分野】
【０００１】
本発明は、缶蓋および飲料缶に関する。
【背景技術】
【０００２】
特許文献１には、リベットを介して缶蓋本体に取り付けられるタブと、リベット近傍を始端として缶蓋本体の外周縁近傍を迂回しつつ始端の近傍を終端とするように缶蓋本体に刻まれるスコア線とを備えた缶蓋が開示されている。
【先行技術文献】
【特許文献】
【０００３】
【特許文献１】特開平１０−２９６３６２号公報
【発明の概要】
【発明が解決しようとする課題】
【０００４】
発泡性飲料であるビール等をグラスなどに注ぐと、飲料に含有されている炭酸ガスが発泡し、液面に泡層が形成される。泡層が形成されると、見栄えが良くなり、また、発泡性飲料と空気との接触が妨げられ、酸化が防止されて美味さが持続する。
本発明の目的は、飲料缶の内容物を注ぎ出したときの泡をよりキメ細かくすることにある。
【課題を解決するための手段】
【０００５】
本発明が適用される缶蓋は、基材と、前記基材に形成され、当該基材の破断を促すスコア線と、前記基材のうちの前記スコア線により囲まれた領域内を押圧するタブと、を備え、前記スコア線の一部であって、前記タブの長手方向に沿った中心線上から外れた箇所に位置する当該一部が、前記基材の外周縁側に向かって膨らんでいる缶蓋である。
ここで、前記スコア線には、前記基材の外周縁側から当該基材の中心部側に向かう部分があり、前記スコア線のうちの、前記外周縁側から前記中心部側に向かう前記部分に、当該外周縁側に向かって膨らむ前記一部が設けられていることを特徴とすることができる。
また、前記スコア線の前記一部は、前記タブの前記中心線から離れる方向に向かって膨らんでいることを特徴とすることができる。
また、前記タブの前記中心線と前記スコア線とは、前記基材の中心部側に位置する中心部側交差箇所にて交差するとともに、当該中心部側交差箇所よりも前記外周縁に近い外周縁側交差箇所にて交差し、前記中心部側交差箇所と前記外周縁側交差箇所とを結ぶ直線に対して直交し且つ当該直線の中点を通る直交直線を想定した場合に、前記外周縁側に向かって膨らむ前記一部の頂部が、前記直交直線上に位置し、又は、当該直交直線よりも前記中心部側交差箇所のある側に位置することを特徴とすることができる。
また、前記スコア線は、当該スコア線に沿って前記基材の破断が進行していく際の進行方向における下流側に下流側端部を有し、前記スコア線の前記一部は、前記タブの前記中心線を挟んで相対する一方の領域および他方の領域のうちの、前記下流側端部が位置する領域と同じ領域に設けられていることを特徴とすることができる。
また、前記スコア線の前記一部は、前記タブの前記中心線を挟んで相対する一方の領域および他方の領域のうちの、当該一方の領域に設けられ、前記タブの前記中心線に対して直交し且つ前記スコア線の前記一部の頂部を通る直交直線を想定した場合に、前記直交直線は、線上交差箇所にて、前記中心線と交差し、他方側交差箇所にて、前記スコア線のうちの前記他方の領域に位置する部分と交差し、前記直交直線のうちの前記線上交差箇所と前記他方側交差箇所との間に位置する部分の長さの方が、当該直交直線のうちの当該線上交差箇所と前記頂部との間に位置する部分の長さよりも小さいことを特徴とすることができる。
また、前記スコア線の前記一部は、前記タブの前記中心線を挟んで相対する一方の領域Ａおよび他方の領域Ｂのうちの、当該一方の領域に設けられ、操作者による操作が開始された前記タブの先端部が前記一方の領域Ａへ移動するように当該タブを変位させる変位手段を更に備えることを特徴とすることができる。
また、前記基材には、凹部が形成されるとともに、当該凹部を取り囲む段差が形成され、前記基材のうちの前記段差により囲まれた領域内に、前記スコア線が形成され、前記スコア線の前記一部は、前記タブの前記中心線を挟んで相対する一方の領域および他方の領域のうちの、当該一方の領域に設けられ、前記タブの前記中心線に対して直交し且つ前記スコア線の前記一部の頂部を通る直交直線を想定した場合に、前記直交直線は、線上交差箇所にて、前記中心線と交差し、一方側交差箇所にて、前記段差のうちの前記一方の領域に位置する部分と交差し、他方側交差箇所にて、当該段差のうちの前記他方の領域に位置する部分と交差し、前記直交直線のうちの前記線上交差箇所と前記一方側交差箇所との間に位置する部分の長さの方が、当該直交直線のうちの当該線上交差箇所と前記他方側交差箇所との間に位置する部分の長さよりも大きいことを特徴とすることができる。
また、前記スコア線に沿った前記基材の破断が生じると、当該基材には開口が形成され、前記基材には、前記開口から注ぎ出される液体の注ぎ出し方向を示すための表示がなされていることを特徴とすることができる。
また、前記基材には、凹部が形成されるとともに、当該凹部を取り囲む段差が形成され、前記基材のうちの前記段差により囲まれた領域内に、前記スコア線が形成され、前記注ぎ出し方向を示すための前記表示が、前記スコア線の前記一部と前記段差との間に位置することを特徴とすることができる。
また、前記スコア線の前記一部は、前記タブの前記中心線を挟んで相対する一方の領域および他方の領域の両者に設けられていることを特徴とすることができる。
【０００６】
他の観点から捉えると、本発明が適用される缶蓋は、基材と、前記基材に形成され、一端部、他端部、および、頂部を有するＵ字状部分を備えたスコア線と、を備え、前記スコア線のうち、前記Ｕ字状部分の前記頂部と前記一端部との間に位置する一部、及び／又は、当該頂部と前記他端部との間に位置する一部が、前記基材の外周縁側に向かって突出している缶蓋である。
【０００７】
他の観点から捉えると、本発明が適用される缶蓋は、飲料缶に用いられる缶蓋であって、基材と、前記基材に開口が形成される際に操作者により操作されるタブと、を備え、前記タブの長手方向に沿った回転軸を中心に前記飲料缶を回転させる操作を操作者に促すための情報および／または形状が付された缶蓋である。
ここで、前記促すための情報として、前記タブの長手方向と交差する方向を向く矢印が前記缶蓋に付されていることを特徴とすることができる。
また、前記缶蓋には、前記基材の破断を促すスコア線が形成され、前記促すための形状として、前記スコア線の一部を前記基材の外周縁側に向かって突出させる形状が付されていることを特徴とすることができる。
【０００８】
また、本発明を飲料缶として捉えた場合、本発明が適用される飲料缶は、内容物が収容された缶本体と、当該缶本体の開口を塞ぐ缶蓋、とを備え、当該缶蓋が上記の何れかに記載の缶蓋により構成された飲料缶である。
【０００９】
他の観点から捉えると、本発明が適用される飲料缶は、内容物が収容された缶本体と、開口が形成される際に操作者により操作されるタブと、を備えた飲料缶であり、前記タブの長手方向に沿った回転軸を中心に前記飲料缶を回転させる操作を操作者に促すための情報および／または形状が付された飲料缶である。
【発明の効果】
【００１０】
本発明によれば、飲料缶の内容物を注ぎ出したときの泡をよりキメ細かくすることができる。
【図面の簡単な説明】
【００１１】
【図１】飲料缶の上面図である。
【図２】スコア線を拡大して示した図である。
【図３】飲料缶の内部の飲料をグラスに注ぐ際の飲料缶の状態を示した図である。
【図４】飲料を注ぐ際に飲料缶の他の状態を示した図である。
【図５】スコア線の寸法関係を説明する図である。
【図６】スコア線の他の寸法関係を説明する図である。
【図７】スコア線の他の構成例を示した図である。
【図８】スコア線等の他の寸法関係を説明する図である。
【図９】飲料缶の他の構成例を示した図である。
【図１０】スコア線の他の構成例を示した図である。
【図１１】（Ａ）〜（Ｃ）は、飲料缶をそれぞれ同角度だけ傾けて、グラスに飲料を注いだ際に生じる泡の粒径を示した図である。
【図１２】第１飲料缶、第２飲料缶、比較飲料缶をそれぞれ同角度だけ傾けて、グラスに飲料を注いだ際の液だれの有無を調べた結果である。
【発明を実施するための形態】
【００１２】
以下、添付図面を参照して、本発明の実施の形態について詳細に説明する。
図１は、本実施の形態が適用される飲料缶１００の上面図である。
飲料缶１００は、缶本体（容器本体、缶胴）２００と、缶蓋３００とを有する。
缶本体２００は、筒状に形成され、上部に開口を有するとともに、下部に底部を有する。缶蓋３００は、缶本体２００の開口に取り付けられ、この開口を塞ぐ。
なお、飲料缶１００の内部には、ビールなどの発泡性飲料（炭酸飲料）が収容されている。
【００１３】
缶蓋３００は、パネル４００を有する。基材の一例としてのこのパネル４００は、金属製（特にアルミニウム合金製が好ましい）の板材により形成されるとともに、円盤状に形成されている。
さらに、缶蓋３００には、操作者により操作されるタブ５００が取り付けられている。
タブ５００は、操作者によって一方の端部である被操作部５０５（図中、上端部）が操作されることで（持ち上げられることで）、パネル４００のうちの予め定められた押圧箇所ＲＡに対して他方の先端部５１０（図中、先端部）を押し付け、パネル４００を押圧する。
【００１４】
タブ５００は、タブ５００の長手方向に沿った中心線Ｃを対象軸として線対称となる形状で形成されている。
なお、本明細書では、以下、タブ５００の図中上端部を、被操作部５０５と称し、タブ５００の図中下端部を、先端部５１０と称する。
【００１５】
タブ５００は、パネル４００の中央部に設けられたリベット９００によって、パネル４００に固定されている。また、タブ５００は、被操作部５０５と先端部５１０との間に位置する部位が、リベット９００によって、パネル４００に固定されている。
なお、本実施形態では、先端部５１０が円弧状に形成されたタブ５００を例示するが、タブ５００は、矩形状に形成することもでき、この場合は、タブ５００の先端部５１０が直線状となる。
【００１６】
タブ５００の被操作部５０５側には、操作者の指が入れられる貫通孔５０５Ａが形成されている。
さらに、タブ５００のうちの、貫通孔５０５Ａよりも、先端部５１０側には、Ｕ字状の貫通孔５０６が形成されている。この貫通孔５０６は、一端部５０６Ａ、他端部５０６Ｂ、および、頂部５０６Ｃを有する。
本実施形態では、一端部５０６Ａおよび他端部５０６Ｂが、タブ５００の先端部５１０側に位置し、頂部５０６Ｃが、タブ５００の被操作部５０５側に位置する。
【００１７】
貫通孔５０６により囲まれた領域（貫通孔５０６の内側に位置する領域）には、舌片状の弾性片５０７が設けられている。
弾性片５０７は、先端部５１０側に位置する部分が、タブ本体５００Ａに対して接続され、さらに、タブ本体５００Ａに接続された部分を始点として、タブ５００の被操作部５０５側に向かって延びる。
さらに、本実施形態では、タブ５００のうちの、弾性片５０７が設けられている部分が、リベット９００によって、パネル４００に固定されている。
【００１８】
さらに、パネル４００には、パネル４００の破断を促すスコア線６００が形成されている。スコア線６００は、パネル４００の表面に形成された溝により構成されている。
本実施形態では、パネル４００のうち、スコア線６００により囲まれた領域内に位置する一部が、タブ５００の先端部５１０により押圧される。
これにより、スコア線６００に沿ってのパネル４００の破断が生じる。パネル４００の破断が生じると、パネル４００に開口が形成され（スコア線６００の内側の部分に開口が形成され）、飲料缶１００の内部の飲料を飲めるようになる。
【００１９】
さらに、パネル４００には、パネル４００の剛性を増すため、図中紙面の奥側方向へ凹んだ凹部７１０が設けられている。さらに、パネル４００には、この凹部７１０を取り囲む段差７２０が形成されている。
本実施形態では、パネル４００のうちの段差７２０により囲まれた領域内に、スコア線６００が形成され、さらに、この囲まれた領域内に、タブ５００が設けられている。
【００２０】
さらに、パネル４００には、スコア線６００の内側に位置する領域に、パネル４００の剛性を増加させる環状の凸部７３０（ビード）が設けられている。
本実施形態では、スコア線６００に沿ってパネル４００の破断が生じると、舌片状の部位が生じるが、この凸部７３０があることで、この舌片状の部位の剛性が増加する。
さらに、本実施形態の缶蓋３００には、飲料缶１００の内部の飲料の種類を表す点字（凹凸）７４０が付されている。なお、凸部７３０は凹部となっていても良い。
【００２１】
図２は、スコア線６００を拡大して示した図である。
本実施形態のスコア線６００には、Ｕ字状部分６５０と、このＵ字状部分６５０に接続された接続部分６１０とが設けられている。
Ｕ字状部分６５０は、一端部６５１および他端部６５２を有する。一端部６５１および他端部６５２は、パネル４００の中心部４００Ｘ（図１参照）側に位置している。
【００２２】
さらに、一端部６５１は、タブ５００の中心線Ｃ（図１も参照）を挟んで相対する一方の領域Ａ６７１および他方の領域Ｂ６７２のうちの、一方の領域Ａ６７１に設けられている。他端部６５２は、他方の領域Ｂ６７２に設けられている。
さらに、Ｕ字状部分６５０は、パネル４００の外周縁４００Ａ（図１参照）側に向かって膨らむように形成され、パネル４００の外周縁４００Ａ側に頂部６５３を有する。
【００２３】
接続部分６１０は、Ｕ字状部分６５０の他端部６５２に接続され、Ｕ字状部分６５０に接続された箇所を始点として、Ｕ字状部分６５０の一端部６５１側に向かう。
さらに、接続部分６１０は、タブ５００の長手方向に沿った中心線Ｃを横切る。また、接続部分６１０は、パネル４００のうちのタブ５００（図１参照）により押圧される押圧箇所ＲＡと、リベット９００（図１参照）との間を通過する。
【００２４】
さらに、本実施形態では、図２の符号２Ａで示すように、スコア線６００の一部（Ｕ字状部分６５０の一部）が、パネル４００の外周縁４００Ａ（図１参照）側に向かって膨らんでいる。
具体的には、スコア線６００のうち、タブ５００の中心線Ｃ上から外れた箇所に位置する一部が、パネル４００の外周縁４００Ａ側に向かって膨らんでいる。
【００２５】
言い換えると、本実施形態では、スコア線６００のうち、Ｕ字状部分６５０の頂部６５３と一端部６５１との間に位置する一部が、パネル４００の外周縁４００Ａ側に向かって突出している。
付言すると、スコア線６００のうち、一方の領域Ａ６７１に位置する一部が、パネル４００の外周縁４００Ａ側に向かって突出している。
さらに説明すると、本実施形態では、スコア線６００のうち、一方の領域Ａ６７１に位置する一部の曲率が、この一部とは異なる他の部分の曲率よりも大きくなっており、この一部が、パネル４００の外周縁４００Ａ側に向かって突出している。
【００２６】
本実施形態では、図２の符号２Ｂで示す箇所を始点とした場合に、スコア線６００は、Ｕ字状部分６５０の一端部６５１側に向かうに従い、パネル４００の外周縁４００Ａ側へ向かう。
その後、スコア線６００は、頂部２Ｃを超えると、パネル４００の外周縁４００Ａから離れる方向へ向かう（パネル４００の中心部４００Ｘ（図１参照）側に向かう）。
【００２７】
ここで、「頂部２Ｃ」とは、スコア線６００のうちの、一端部６５１へ向かうに従い外周縁４００Ａ側へ接近する部分と、一端部６５１へ向かうに従い外周縁４００Ａから離れる部分とが交差する箇所をいう。
以下、本明細書では、スコア線６００のうちの、上記外周縁４００Ａ側へ膨らむ上記の一部を、スコア突出部６６０と称する。
【００２８】
図２にて示すＵ字状部分６５０には、パネル４００の外周縁４００Ａ（図１参照）側からパネル４００の中心部４００Ｘ側に向かう部分が存在する。
具体的には、図２の符号２Ｅで示す箇所に、外周縁４００Ａ側から中心部４００Ｘ側に向かう部分が存在する。本実施形態では、外周縁４００Ａ側から中心部４００Ｘ側に向かうこの部分に、スコア突出部６６０が設けられている。
【００２９】
スコア突出部６６０では、パネル４００の外周縁４００Ａ側に向かって且つタブ５００の中心線Ｃから離れる方向に向かって、スコア線６００が膨らんでいる。
なお、スコア突出部６６０の突出の程度は、特に限定されず、図２の破線２Ｇで示すように、スコア突出部６６０の突出の程度は小さくしてもよい。
【００３０】
さらに、本実施形態では、図１に示すように、パネル４００に、開口（スコア線６００に沿ってパネル４００の破断が生じることにより形成される開口）から注ぎ出される飲料（液体）の注ぎ出し方向を示すための表示５８８がなされている。
具体的には、本実施形態では、「注ぎ出し方向を示すための表示５８８」として、タブ５００の長手方向と交差（直交）する方向を向き且つタブ５００の中心線Ｃから離れる方向を向く矢印３Ｃが、パネル４００に付されている。この矢印３Ｃは、スコア突出部６６０と段差７２０との間に設けられている。
【００３１】
ここで、「注ぎ出し方向を示すための表示５８８」の仕方は、特に制限されず、例えば、金型をパネル４００に押し当て、パネル４００に凹凸を付与することで、注ぎ出し方向を示すための表示を行なってもよい。また、例えば、インクジェットヘッド印刷による印刷を行って、注ぎ出し方向を示すための表示を行なってもよい。
また、例えば、「注ぎ出し方向を示すための表示５８８」として、「注ぎ出し方向はこちら」などの文字情報を付してもよい。
【００３２】
本実施形態では、缶蓋３００に開口が形成される際には、まず、操作者によるタブ５００の操作が行われて、タブ５００の被操作部５０５側が持ち上げられる（パネル４００から離れる方向へ被操作部５０５が移動する）。
これにより、タブ５００の先端部５１０が、パネル４００のうちのスコア線６００により囲まれた領域内に押し当てられ、まず、接続部分６１０（図２参照）にて、パネル４００の破断が生じる。
【００３３】
その後、パネル４００の破断は、Ｕ字状部分６５０に沿って進行し、最終的に、Ｕ字状部分６５０の一端部６５１まで生じる。
具体的には、パネル４００の破断は、Ｕ字状部分６５０の他端部６５２、頂部６５３、スコア突出部６６０を経由して進行し、最終的に、Ｕ字状部分６５０の一端部６５１へ達する。
【００３４】
付言すると、本実施形態では、スコア線６００に沿ってパネル４００の破断が進行していく際、図２の矢印２Ｓで示す方向へ、この破断が進行していく。
そして、本実施形態では、この破断は、スコア線６００のうちの、一端部６５１が位置する下流側端部６５７（スコア線６００のうち、破断の進行方向下流側に位置する端部）へ達する。
【００３５】
本実施形態では、スコア線６００の一端部６５１が、この下流側端部６５７となっており、スコア線６００に沿ってパネル４００の破断が進行していくと、この破断は、最終的に、下流側端部６５７へ達するようになる。
付言すると、本実施形態では、パネル４００の破断が進行していく際の進行方向における下流側に、Ｕ字状部分６５０の一端部６５１が位置し、スコア線６００に沿ったパネル４００の破断は、この一端部６５１まで生じるようになる。
【００３６】
下流側端部６５７は、タブ５００の中心線Ｃを挟んで相対する一方の領域Ａ６７１および他方の領域Ｂ６７２のうちの、一方の領域Ａ６７１に設けられている。
本実施形態では、まず、タブ５００の中心線Ｃにて、パネル４００の破断が開始される。具体的には、まず、接続部分６１０のうちの、中心線Ｃ上に位置する部分にて、パネル４００の破断が開始される。
【００３７】
その後、パネル４００の破断は、他方の領域Ｂ６７２側に向かって進行し、次いで、パネル４００の破断は、Ｕ字状部分６５０の頂部６５３まで達する。
その後、パネル４００の破断は、スコア突出部６６０へ進行し、最終的に、一端部６５１（下流側端部６５７）まで達する。これにより、缶蓋３００に開口が形成される。
【００３８】
図３は、飲料缶１００の内部の飲料をグラスに注ぐ際の飲料缶１００の状態を示した図である。
本実施形態では、飲料缶１００の内部の飲料をグラスなどに注ぐ際、操作者は、まず、タブ５００を操作して、缶蓋３００に開口３１０を形成する。
その後、図３に示すように、操作者は、例えば、右手で飲料缶１００を持ったうえで、回転軸３Ｂを中心に飲料缶１００を回転させる。
より具体的には、操作者は、タブ５００の長手方向に沿った回転軸３Ｂ（タブ５００の長手方向と略平行な回転軸３Ｂ）を中心に、飲料缶１００を回転させる。
【００３９】
言い換えると、操作者は、缶蓋３００に付された矢印３Ｃが下方を向くように、また、スコア突出部６６０が下方に向かうように、飲料缶１００を回転させる。
付言すると、操作者は、タブ５００の長手方向に沿った一方の側辺５００Ｃが、他方の側辺５００Ｄよりも上方に位置するように、飲料缶１００を回転させる。
これにより、缶蓋３００に形成された開口３１０から、内部の飲料が出てくるようになり、飲料缶１００の内部の飲料が、グラスに注がれる。
【００４０】
ここで、このように、スコア突出部６６０が設けられている側が下方に向かうように、飲料缶１００を回転させると、グラス内における飲料の泡がよりキメ細かくなる。
より具体的には、図４（飲料を注ぐ際の飲料缶１００の他の状態を示した図）に示すように、スコア線６００の頂部６５３が下側となるように、飲料缶１００を回転させる場合に比べ、グラス内における飲料の泡がよりキメ細かくなる。
付言すると、本実施形態では、図３にて示す第１注ぎ形態、図４にて示す第２注ぎ形態の２つの形態で、飲料の注ぎを行えるが、第１形態で飲料を注ぐと、第２注ぎ形態で飲料を注ぐ場合に比べ、グラス内における飲料の泡がよりキメ細かくなる。
【００４１】
ここで、スコア突出部６６０を下方にして注ぐ場合（第１注ぎ形態で飲料を注ぐ場合）は、頂部６５３を下方にして注ぐ場合（第２注ぎ形態で飲料を注ぐ場合）に比べ、単位時間当たりに注ぎ出される飲料が少なくなる。
言い換えると、スコア突出部６６０を下方にして注ぐ場合（第１注ぎ形態で飲料を注ぐ場合）は、頂部６５３を下方にして注ぐ場合（第２注ぎ形態で飲料を注ぐ場合）に比べ、飲料缶１００を一定の角度だけ傾けた場合における飲料の流出量が小さくなる。
【００４２】
具体的には、スコア突出部６６０を下方にして注ぐ場合（第１注ぎ形態で飲料を注ぐ場合）は、頂部６５３を下方にして注ぐ場合（第２注ぎ形態で飲料を注ぐ場合）に比べ、パネル４００の下端４００Ｃ（図３参照）から、開口３１０の下端３１０Ｃまでの距離Ｌ１が大きくなり、これに伴い、流量が絞られる。
そして、このように流量が絞られ、注ぎ出される飲料が少なくなると、グラス内において、飲料が拡散しやすくなり、飲料の泡がよりキメ細かくなる。
【００４３】
付言すると、スコア突出部６６０を下方にして注ぐ場合（第１注ぎ形態で飲料を注ぐ場合）は、パネル４００の下端４００Ｃから、開口３１０の下端３１０Ｃまでの距離は、距離Ｌ１となる。
その一方で、頂部６５３（図４参照）を下方にして注ぐ場合（第２注ぎ形態で飲料を注ぐ場合）は、パネル４００の下端４００Ｃから、開口３１０の下端３１０Ｃまでの距離は、距離Ｌ２となり、この場合、距離Ｌ１＞距離Ｌ２という関係となる。
この場合、図３に示す注ぎ形態（第１注ぎ形態）では、流量が絞られる形となり、グラス内において、飲料が拡散しやすくなる。そして、この場合、飲料の泡がよりキメ細かくなる。
【００４４】
なお、本実施形態では、スコア突出部６６０を、一方の領域Ａ６７１（図２参照）に設けた構成を説明したが、スコア突出部６６０は、他方の領域Ｂ６７２に設けてもよい。
スコア突出部６６０を、他方の領域Ｂ６７２に設ける場合は、例えば、図３の符号３Ｄで示す部分に、スコア突出部６６０が設けられる構成となる。この構成において、第１注ぎ形態で飲料を注ぐ場合には、他方の領域Ｂ６７２に設けられたスコア突出部６６０を下方にして飲料を注ぐことになる。
【００４５】
なお、飲料の泡をよりキメ細かくするという観点からは、スコア突出部６６０は、必須ではない。
スコア突出部６６０が無い構成であったとしても、図３にて示した第１注ぎ形態で飲料を注ぐようにすれば（タブ５００の長手方向（中心線Ｃ）に沿った回転軸３Ｂを中心に、飲料缶１００を回転させるようにすれば）、飲料の流出量が減り、飲料の泡がよりキメ細かくなる。
【００４６】
ここで、スコア突出部６６０を設けると、開口３１０から出た飲料の一部が、飲料缶１００の外表面を伝って移動することが起きにくくなり、操作者の手などに、飲料が付着することが起きにくくなる。
スコア突出部６６０を設けると、開口３１０が形成されたときに、開口３１０の縁の部分に、パネル４００の外周縁４００Ａ側に向かって凹む溝（切り欠き）が形成される。
この場合、この溝により、飲料の案内が行われ、飲料の注ぎ出し方向以外の方向へ飲料が向かうことが起きにくくなる。そして、この場合、飲料缶１００の外周面を伝って飲料が移動することが起きにくくなる。
【００４７】
本実施形態のように、矢印３Ｃ（図３参照）やスコア突出部６６０を設ける場合、これらを設けない場合に比べ、操作者に対し、図３にて示した第１注ぎ形態での飲料の注ぎを促せるようになる。
付言すると、本実施形態では、タブ５００の長手方向に沿った回転軸３Ｂを中心に飲料缶１００を回転させる操作を、操作者に認識させるための情報および形状が、飲料缶１００に付されている。これにより、本実施形態では、図３にて示した第１注ぎ形態での飲料の注ぎ形態があることを、操作者に認識させられるようになる。
【００４８】
本実施形態では、タブ５００の長手方向に沿った回転軸３Ｂを中心に飲料缶１００を回転させる操作を「促すための情報」として、上記のとおり、タブ５００の長手方向と交差する方向を向く矢印３Ｃが缶蓋３００に付されている。
また、「促すための形状」として、スコア線６００の一部を、パネル４００の外周縁４００Ａ側に向かって突出させる形状が付されている（スコア突出部６６０が設けられている）。
これにより、図３にて示した第１注ぎ形態があることを、操作者に認識させられるようになり、飲料を飲む者に対し、キメの細かい泡を有する飲料を提供できるようになる。
【００４９】
なお、本実施形態では、「促すための情報」および「促すための形状」の両者が、缶蓋３００に付された場合を一例に説明したが、これらの一方のみを缶蓋３００に付すようにしてもよい。
また、「促すための情報」および「促すための形状」は、缶蓋３００に限らず、缶本体２００（図１参照）の外周面など、缶蓋３００以外に付してもよい。
【００５０】
また、本実施形態では、「促すための情報」が、図形（矢印３Ｃ）により構成されている場合を説明したが、「促すための情報」は、文字情報としてもよい。
具体的には、たとえば、「泡」などの文字情報を、缶蓋３００や缶本体２００に付すようにしてもよい。また、その他に、例えば、スコア突出部６６０の横に、「泡」などの文字情報を付すとともに、缶本体２００の外周面に、「缶蓋３００の「泡」マークの部分を下にして注いでください」などの情報を付してもよい。
【００５１】
図５は、スコア線６００の寸法関係を説明する図である。
本実施形態では、タブ５００の長手方向に沿った中心線Ｃとスコア線６００とは、パネル４００の中心部４００Ｘ（図１参照）側に位置する中心部側交差箇所４１１にて交差する。また、タブ５００の長手方向に沿った中心線Ｃとスコア線６００とは、中心部側交差箇所４１１よりも外周縁４００Ａ（図１参照）に近い外周縁側交差箇所４１２にて交差する。
さらに、図５では、中心部側交差箇所４１１と外周縁側交差箇所４１２とを結ぶ直線に対して直交し且つこの直線の中点を通る直交直線４１３を想定する。
【００５２】
この場合に、本実施形態では、スコア突出部６６０の頂部２Ｃが、直交直線４１３よりも中心部側交差箇所４１１側に位置している。
本実施形態では、内部の飲料を飲む者が、缶蓋３００に直接口を付けて飲料を飲む場合がある。
この場合に、上記のように、頂部２Ｃが、直交直線４１３よりも中心部側交差箇所４１１側に位置していると、内部の飲料を飲む者が、違和感を抱かずに飲料を飲むことができる。
【００５３】
なお、本実施形態では、スコア突出部６６０の頂部２Ｃが、直交直線４１３よりも中心部側交差箇所４１１側に位置する場合を説明したが、頂部２Ｃは、直交直線４１３上に位置させてもよい。
言い換えると、スコア突出部６６０は、その頂部２Ｃが、直交直線４１３上に位置し、あるいは、直交直線４１３よりも中心部側交差箇所４１１側に位置するように配置することが好ましい。
【００５４】
さらに、図５に示すように、スコア突出部６６０は、下流側端部６５７が位置する領域と同じ領域に設けられている。具体的には、本実施形態では、下流側端部６５７は、一方の領域Ａ６７１に設けられ、スコア突出部６６０も、この一方の領域Ａ６７１に設けられている。
また、本実施形態では、スコア線６００の中点２Ｘ（スコア線６００に沿ってスコア線６００の長さを図った場合における中点２Ｘ）よりも、下流側端部６５７側に、スコア突出部６６０が設けられている。
【００５５】
スコア突出部６６０は、一方の領域Ａ６７１および他方の領域Ｂ６７２の何れに設けてもよいが、スコア突出部６６０を一方の領域Ａ６７１に設けると、缶蓋３００の開口３１０（図３参照）がより確実に形成されやすくなる。
付言すると、スコア突出部６６０を、下流側端部６５７が設けられている領域と同じ領域である一方の領域Ａ６７１に設けると、他方の領域Ｂ６７２に設ける場合に比べ、缶蓋３００の開口３１０がより確実に形成されやすくなる。
【００５６】
本実施形態では、スコア線６００に沿ったパネル４００の破断の進行に伴い、タブ５００が次第に起立するが、スコア突出部６６０が他方の領域Ｂ６７２側にあると、パネル４００の破断の初期の段階において、タブ５００の起立量が大きくなってしまう。
この場合、パネル４００の破断の最終段階において（最終的な破断を行う前の段階において）、タブ５００の起立量が大きくなってしまい、開口３１０が形成されにくくなる（形成される開口３１０が小さくなりやすくなる）。
【００５７】
これに対し、本実施形態のように、一方の領域Ａ６７１に、スコア突出部６６０を設けると（下流側端部６５７と同じ領域に、スコア突出部６６０を設けると）、パネル４００の破断の最終段階における、タブ５００の起立量を抑えられる。
この場合、下流側端部６５７までのパネル４００の破断が生じやすくなる。
【００５８】
付言すると、一方の領域Ａ６７１および他方の領域Ｂ６７２の何れの領域に、スコア突出部６６０を設けたとしても、スコア線６００の全長は変わらない。
その一方で、スコア突出部６６０を何れの領域に設けるかによって、パネル４００の破断の最終段階における、タブ５００の起立量が異なるようになる。
【００５９】
本実施形態のように、下流側端部６５７が位置する領域と同じ領域に、スコア突出部６６０を設けると、パネル４００の破断の最終段階における（パネル４００の破断が、スコア突出部６６０の手前側まで達したときにおける）、タブ５００の起立量が小さくなる。
この場合、これ以降におけるタブ５００の操作において、タブ５００の可動量がより大きなものとなり、スコア線６００における破断により生じる舌片状の部位（不図示）の押し込み量を大きくできる。そして、この場合、パネル４００の破断が、下流側端部６５７まで達しやすくなる。
【００６０】
図６は、スコア線６００の他の寸法関係を説明する図である。なお、各部の構成、配置は、上記と同様であり、この図では、直交直線が、図５にて示した直交直線４１３と異なっている。
この図では、タブ５００の中心線Ｃに対して直交し且つスコア突出部６６０の頂部２Ｃを通る直交直線４１５を想定する。
直交直線４１５は、線上交差箇所４１６にて、タブ５００の中心線Ｃと交差し、他方側交差箇所４１９にて、スコア線６００のうちの他方の領域Ｂ６７２に位置する部分と交差する。
【００６１】
そして、本実施形態では、直交直線４１５のうちの、線上交差箇所４１６と他方側交差箇所４１９との間に位置する部分６Ｄ（以下、「他方側部分６Ｄ」と称する）の長さＬ３の方が、線上交差箇所４１６と頂部２Ｃとの間に位置する部分６Ｅ（以下、「一方側部分６Ｅ」と称する）の長さＬ４よりも小さくなっている。
【００６２】
この場合、他方側部分６Ｄの長さＬ３の方が、一方側部分６Ｅの長さＬ４よりも大きい場合に比べ、上記と同様、パネル４００の破断の最終段階における、タブ５００の起立量を小さくでき、スコア線６００の下流側端部６５７までの破断が、生じやすくなる。
【００６３】
ここで、スコア線６００は、破線６Ａで示すように、頂部６５３と他端部６５２との間に位置する部分をより右側に配置し、他方側部分６Ｄの長さＬ３を、一方側部分６Ｅの長さＬ４よりも大きくする態様も考えられる。
ところで、この場合は、パネル４００の破断の最終段階における、タブ５００の起立量が大きくなり、スコア線６００の下流側端部６５７までの破断が生じにくくなる。
【００６４】
これに対し、本実施形態のように、他方側部分６Ｄの長さＬ３を、一方側部分６Ｅの長さＬ４よりも小さくすると、スコア線６００の全長が小さくなる。
この場合、パネル４００の破断の最終段階における、タブ５００の起立量が小さくなり、スコア線６００の下流側端部６５７までの破断が生じやすくなる。
【００６５】
なお、上記のとおり、スコア突出部６６０は、他方の領域Ｂ６７２側に設けてもよい。
この場合は、図７（スコア線６００の他の構成例を示した図）に示すように、直交直線４１５のうちの、線上交差箇所４１６と一方側交差箇所４１８との間に位置する一方側部分７Ｅの長さＬ５を、線上交差箇所４１６と頂部２Ｃとの間に位置する他方側部分７Ｄの長さＬ６よりも小さくすることが好ましい。
【００６６】
この場合、パネル４００の破断が、頂部６５３を超えた後における、スコア線６００の長さが小さくなる。言い換えると、パネル４００の破断が頂部６５３まで達した後における、残りのスコア線６００の長さが小さくなる。
この場合（長さＬ５＜長さＬ６の場合）、一方側部分７Ｅの長さＬ５の方が、他方側部分７Ｄの長さＬ６よりも大きい場合に比べ（頂部６５３を超えた後における、残りのスコア線６００の長さが大きくなる場合に比べ）、下流側端部６５７までのパネル４００の破断が生じやすくなる。
【００６７】
図８は、スコア線６００等の他の寸法関係を説明する図である。
この図でも、タブ５００（図８では不図示）の中心線Ｃに対して直交し且つスコア突出部６６０の頂部２Ｃを通る直交直線４１５を想定する。
直交直線４１５は、線上交差箇所４１６にて、中心線Ｃと交差し、一方側交差箇所４２１にて、段差７２０のうちの一方の領域Ａ６７１に位置する部分と交差する。
また、直交直線４１５は、他方側交差箇所４２２にて、段差７２０のうちの他方の領域Ｂ６７２に位置する部分と交差する。
【００６８】
本実施形態では、直交直線４１５のうちの、線上交差箇所４１６と一方側交差箇所４２１との間に位置する一方側部分８Ｅの長さＬ７の方が、線上交差箇所４１６と他方側交差箇所４２２との間に位置する他方側部分８Ｄの長さＬ８よりも大きい。
付言すると、本実施形態では、段差７２０のうちの、スコア突出部６６０の脇を通過する部分が、パネル４００の外周縁４００Ａ（図１参照）側に向かって突出している（膨らんでいる）。
なお、本明細書では、以下、段差７２０のうちの、この突出している部分を、段差突出部７５０と称する。
【００６９】
そして、本実施形態では、注ぎ出し方向を示すための表示５８８（矢印３Ｃ）が、スコア突出部６６０と段差突出部７５０との間に位置している。
ここで、段差突出部７５０の突出の程度は、特に制限されないが、大きくすることが好ましい。これにより、スコア線６００における、意図しないパネル４００の破断が生じにくくなる。
【００７０】
ここで、缶蓋３００には、飲料缶１００の内圧などが加わり、この内圧などに起因して、スコア線６００にて、意図しないパネル４００の破断が生じるおそれがある。
このような場合に、段差７２０がスコア突出部６６０の近くを通る構成であると、段差７２０およびスコア突出部６６０の両者が設けられた箇所で、応力集中などが起こりやすく、パネル４００の意図しない破断が生じやすくなる。
これに対し、上記のように、段差突出部７５０の突出の程度を大きくし、スコア突出部６６０と段差突出部７５０との離間距離を大きくすると、応力集中などが生じにくくなり、パネル４００の意図しない破断が生じにくくなる。
【００７１】
図９は、飲料缶１００の他の構成例を示した図である。
この構成例では、タブ５００の形状が上記にて説明したタブ５００とは異なっている。
具体的には、図９にて示すタブ５００では、Ｕ字状に形成された貫通孔５０６の一端部５０６Ａおよび他端部５０６Ｂの位置（タブ５００の長手方向における位置）が異なっている。
具体的には、他方の領域Ｂ６７２側に位置する他端部５０６Ｂが、一方の領域Ａ６７１側に位置する一端部５０６Ａよりも、タブ５００の先端部５１０に近い側に位置している。
【００７２】
このように、他端部５０６Ｂが、一端部５０６Ａよりも先端部５１０に近い側に位置すると、操作者によるタブ５００の操作が開始され、タブ５００の被操作部５０５が持ち上げられた際に、先端部５１０が一方の領域Ａ６７１側へ移動する。
具体的には、操作者によりタブ５００が起こされると、破線９Ａに沿って、弾性片５０７が曲がり、これに伴い、タブ５００の先端部５１０が、一方の領域Ａ６７１側へ向かう。
【００７３】
これにより、開口３１０を缶蓋３００に形成する際に、スコア突出部６６０に作用する荷重が大きくなり、スコア突出部６６０におけるパネル４００の破断が生じやすくなる。言い換えると、最終段階におけるパネル４００の破断が生じやすくなる。
ここで、図９にて示した貫通孔５０６は、タブ５００の先端部５１０が、一方の領域Ａ６７１側へ移動するようにタブ５００を変位させる変位手段として捉えることができる。
なお、タブ５００の変位は、貫通孔５０６の形状を利用したものに限らず、他の機構により行ってもよい。
【００７４】
図１０は、スコア線６００の他の構成例を示した図である。
この構成例では、スコア突出部６６０が、一方の領域Ａ６７１および他方の領域Ｂ６７２の両者に設けられている。
図２、３にて示した構成例では、左利きの人は、第１注ぎ形態で飲料の注ぎ出しを行う際、開口３１０を形成した後に、飲料缶１００を周方向に１８０度回転させる必要がある。
また、図７にて示した構成例では、右利きの人は、第１注ぎ形態で飲料の注ぎ出しを行う際、飲料缶１００を周方向に１８０度回転させる必要がある。
これに対し、図１０にて示す構成例では、操作者が、右利き、左利きの何れであっても、操作者は、飲料缶１００を周方向に１８０度回転させずに、飲料の注ぎ出しを行える。
【００７５】
（実施例）
実施例について説明する。
図１１（Ａ）〜（Ｃ）は、飲料缶をそれぞれ同角度だけ傾けて、グラスに飲料を注いだ際に生じる泡の粒径を示した図である。
図１１（Ａ）では、図１にて示した飲料缶１００（以下、「第１飲料缶１０１」と称する）から、第１注ぎ形態で、グラスに飲料を注いだ際に生じた泡の粒径を示している。
【００７６】
図１１（Ｂ）では、図２の破線２Ｇで示すスコア突出部６６０を有する飲料缶１００（以下、「第２飲料缶１０２」と称する）から、第１注ぎ形態で、グラスに飲料を注いだ際に生じた泡の粒径を示している。
付言すると、図１１（Ｂ）では、突出の程度が小さいスコア突出部６６０を有する飲料缶１００から、第１注ぎ形態で、グラスに飲料を注いだ際に生じた泡の粒径を示している。
【００７７】
これに対し、図１１（Ｃ）では、比較例の飲料缶１００（以下、「比較飲料缶２０１」と称する）から、第２注ぎ形態で、グラスに飲料を注いだ際に生じた泡の粒径を示している。
具体的には、図１１（Ｃ）では、スコア突出部６６０を有しない既存の飲料缶１００から、第２注ぎ形態で（通常の注ぎ形態で）、グラスに飲料を注いだ際に生じた泡の粒径を示している。
付言すると、図４の飲料缶１００にはスコア突出部６６０が設けられているが、図１１（Ｃ）は、当該スコア突出部６６０が設けられていない飲料缶１００から、第２注ぎ形態で（頂部６５３が下側に位置する注ぎ状態で）、グラスに飲料を注いだ際に生じた泡の粒径を示している。
【００７８】
第１飲料缶１０１では、図１１（Ａ）に示すように、泡の粒径の平均値（５本の第１飲料缶１０１の平均値）が、３４３．９μｍとなった。
また、第２飲料缶１０２では、図１１（Ｂ）に示すように、泡の粒径の平均値（５本の第２飲料缶１０２の平均値）が、３１６．２μｍとなった。
【００７９】
これに対し、比較飲料缶２０１では、図１１（Ｃ）に示すように、泡の粒径の平均値（５本の比較飲料缶２０１の平均値）が、第１飲料缶１０１、第２飲料缶１０２に比べて大きくなり、５２０．９μｍとなった。
このように、本実施形態の構成では、比較例の構成に比べ、よりキメの細かい泡を得られる。
【００８０】
さらに、本実施形態では、第２飲料缶１０２のように、スコア突出部６６０の突出の程度が小さくなると、図３にて示した距離Ｌ１が大きくなり、流量が絞られ、よりキメの細かいが泡が生じるようになる。
具体的には、スコア突出部６６０の突出の程度が小さい第２飲料缶１０２にて生じた泡の粒径は、３１６．２μｍとなり、第１飲料缶１０１にて生じた泡の粒径（＝３４３．９μｍ）よりも小さくなった。
ここで、本明細書において、「キメ細かい」とは、スコア突出部６６０を有していない飲料缶１００から上記第２注ぎ形態でグラスに飲料を注いだ際に生じる泡の粒径よりも、泡の粒径が小さくなることをいい、泡の粒径が所定値よりも小さくなることを意味するものではない。
泡の粒径の大小は、飲料缶１００内の飲料の種類により変化するものであり、仮に、本実施形態の構成を有する飲料缶１００から上記第１注ぎ形態で一の種類の飲料を注いだときに生じた泡の粒径が大きい場合であっても、この粒径が、スコア突出部６６０を有していない飲料缶１００から上記第２注ぎ形態でこの一の種類の飲料を注いだ際に生じた泡の粒径よりも小さい場合には、キメ細かい泡が生じたと言える。
【００８１】
図１２は、第１飲料缶１０１、第２飲料缶１０２、比較飲料缶２０１をそれぞれ同角度だけ傾けて、グラスに飲料を注いだ際の液だれの有無を調べた結果である。
具体的には、図１２では、第１飲料缶１０１、第２飲料缶１０２、比較飲料缶２０１のそれぞれについて、飲料缶１００の外表面を伝って飲料が移動するか否かを調べた結果を示している。
【００８２】
より具体的には、第１飲料缶１０１、第２飲料缶１０２については、第１注ぎ形態で、グラスに飲料を注いだ際の液だれの有無を調べた。
また、比較飲料缶２０１については、図４の飲料缶１００にはスコア突出部６６０が設けられているが、当該スコア突出部６６０が設けられていない飲料缶１００のタブ５００が寝た状態で（横向きになった状態で）、図３に示す方向にグラスへの飲料の注ぎを行った際の、液だれの有無を調べた。
【００８３】
図１２（Ａ）、（Ｂ）は、それぞれ、第１飲料缶１０１、第２飲料缶１０２の結果を示しており、第１飲料缶１０１、第２飲料缶１０２では、液だれは発生しなかった。
より具体的、第１飲料缶１０１、第２飲料缶１０２では、それぞれ１０本の第１飲料缶１０１、第２飲料缶１０２を用意して実験を行ったが、第１飲料缶１０１、第２飲料缶１０２での液だれが発生した個数は、零であった。
図１２（Ｃ）は、比較飲料缶２０１の結果を示しており、比較飲料缶２０１では、液だれが発生した。具体的には、比較飲料缶２０１では、１０本の比較飲料缶２０１のうち、３本の比較飲料缶２０１において、液だれが発生した。
【００８４】
（その他）
図２では、スコア突出部６６０、下流側端部６５７、Ｕ字状部位の一端部６５１が、一方の領域Ａ６７１側に位置し、Ｕ字状部位の他端部６５２が、他方の領域Ｂ６７２側に位置する構成を一例に説明した。
各部の配置はこれに限らず、スコア突出部６６０、下流側端部６５７、Ｕ字状部位の一端部６５１が、他方の領域Ｂ６７２側に位置し、Ｕ字状部位の他端部６５２が、一方の領域Ａ６７１側に位置する構成としてもよい。
即ち、スコア線６００は、図２にて示した構成に限らず、図２にて示した構成を、タブ５００の中心線Ｃを対象軸として反転させた構成としてもよい。
【００８５】
また、本発明は、上述の実施形態に限定されるものでなく、様々な変形例を含む。
上述した実施形態は、本発明を分かりやすく説明するために詳細に説明したものであり、必ずしも説明した全ての構成を備える必要はない。言い換えると、上述の実施形態は、一例であり、上述の実施形態に既知の構成を追加したり、実施形態の一部を削除したり、実施形態の一部を既知の構成で置換したりしてもよい。
【符号の説明】
【００８６】
２Ｃ…頂部、３Ｂ…回転軸、３Ｃ…矢印、６Ｄ…他方側部分、６Ｅ…一方側部分、８Ｄ…他方側部分、８Ｅ…一方側部分、２００…缶本体、３００…缶蓋、３１０…開口、４００…パネル、４００Ａ…外周縁、４００Ｘ…中心部、４１１…中心部側交差箇所、４１２…外周縁側交差箇所、４１３…直交直線、４１５…直交直線、４１６…線上交差箇所、４１９…他方側交差箇所、５００…タブ、５０６…貫通孔、５１０…先端部、５８８…表示、６００…スコア線、６５０…Ｕ字状部分、６５１…一端部、６５２…他端部、６５３…頂部、６５７…下流側端部、６６０…スコア突出部、６７１…領域Ａ、６７２…領域Ｂ、７１０…凹部、７２０…段差、７５０…段差突出部、Ｃ…中心線
【図１】
2019206016.tif 000003
【図２】
2019206016.tif 000004
【図３】
2019206016.tif 000005
【図４】
2019206016.tif 000006
【図５】
2019206016.tif 000007
【図６】
2019206016.tif 000008
【図７】
2019206016.tif 000009
【図８】
2019206016.tif 000010
【図９】
2019206016.tif 000011
【図１０】
2019206016.tif 000012
【図１１】
2019206016.tif 000013
【図１２】
2019206016.tif 000014